(57)【要約】【課題】基板カバーの取付作業を容易に行うことができる照明装置を提供する。【解決手段】冷陰極管１７と、冷陰極管１７が収容されるシャーシ１４と、シャーシ１４に取り付けられるコントロール基板４０と、シャーシ１４に取り付けられ、コントロール基板４０を覆う形で配される基板カバー６０と、を備え、シャーシ１４は、基板カバー６０に向けて突出される突部５２を備え、基板カバー６０には、突部５２が挿通されるカバー側挿通孔６３が形成されており、突部５２には、基板カバー６０と照合されることで、基板カバー６０の取付状態を識別するための第１識別部７０及び第２識別部７１が形成されていることを特徴とする。【選択図】図６
2012054100.tif 000002
【特許請求の範囲】
【請求項１】
光源と、
前記光源が収容されるシャーシと、
前記シャーシに取り付けられる回路基板と、
前記シャーシに取り付けられ、前記回路基板を覆う形で配される基板カバーと、を備え、
前記シャーシは、前記基板カバーに向けて突出される突部を備え、
前記基板カバーには、前記突部が挿通されるカバー側挿通孔が形成されており、
前記突部には、前記基板カバーと照合されることで、前記基板カバーの取付状態を識別するための識別部が形成されていることを特徴とする照明装置。
【請求項２】
前記識別部は、前記突部が前記カバー側挿通孔に対して所定の位置まで挿通された状態では、前記突部のうち、前記基板カバーから前記シャーシとは反対側に突き出した部分に形成されていることを特徴とする請求項１に記載の照明装置。
【請求項３】
前記基板カバーには、前記識別部に対応付けられたカバー側識別部が形成されていることを特徴とする請求項１または請求項２に記載の照明装置。
【請求項４】
前記識別部及び前記カバー側識別部は、それぞれ図形であって、互いに相似形状をなすことを特徴とする請求項３に記載の照明装置。
【請求項５】
前記識別部は、前記突部における突出端面に形成されていることを特徴とする請求項１から請求項４のいずれか一項に記載の照明装置。
【請求項６】
請求項１から請求項５のいずれか１項に記載の照明装置と、
前記照明装置からの光を利用して表示を行う表示パネルと、を備えることを特徴とする表示装置。
【請求項７】
前記表示パネルが液晶を用いた液晶パネルであることを特徴とする請求項６に記載の表示装置。
【請求項８】
請求項６又は請求項７に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
従来、液晶テレビなどの液晶表示装置に用いる液晶パネルは、自発光しないため、別途に照明装置としてバックライト装置を備えている。このようなバックライト装置は、液晶パネルの裏側（表示面とは反対側）に設置されるものが周知であり、液晶パネル側に開口された形状をなすシャーシと、シャーシにおける底板の内面側に設置される複数の光源（例えば冷陰極管やＬＥＤなど）と、シャーシの開口部に配されて光源が発する光を効率的に液晶パネル側へ放出させるための光学部材（拡散板等）と、シャーシ内に敷設され、光源からの光を光学部材並びに液晶パネル側に反射させる光反射シートなど備えている。
【０００３】
また、シャーシには、液晶表示装置の駆動に係る回路基板が取り付けられており、この回路基板を覆う形で基板カバーが取り付けられているものが知られている。このような基板カバー及び回路基板は、例えば、ビスなどの取付手段にてシャーシに取り付けられる。なお、シャーシに対して回路基板をビスで固定する構成の液晶表示装置の一例として下記特許文献１に記載されたものが知られている。
【先行技術文献】
【特許文献】
【０００４】
【特許文献１】特開２００７−１８０７５１号公報
【発明の概要】
【発明が解決しようとする課題】
【０００５】
上記のような基板カバーをシャーシに取り付ける場合には、基板カバーを所定の取付位置にて保持する必要がある。従来、このような基板カバーの保持は、作業者が手で行っており、作業性において改善の余地があった。
【０００６】
本発明は上記のような事情に基づいて完成されたものであって、基板カバーの取付作業を容易に行うことができる照明装置を提供することを目的とする。また、このような照明装置を備えた表示装置、及びテレビ受信装置を提供することを目的とする。
【課題を解決するための手段】
【０００７】
上記課題を解決するために、本発明の照明装置は、光源と、前記光源が収容されるシャーシと、前記シャーシに取り付けられる回路基板と、前記シャーシに取り付けられ、前記回路基板を覆う形で配される基板カバーと、を備え、前記シャーシは、前記基板カバーに向けて突出される突部を備え、前記基板カバーには、前記突部が挿通されるカバー側挿通孔が形成されており、前記突部には、前記基板カバーと照合されることで、前記基板カバーの取付状態を識別するための識別部が形成されていることに特徴を有する。
【０００８】
本発明においては、突部をカバー側挿通孔に挿通させることにより、基板カバーをシャーシに対して保持させることができる。これにより、シャーシに対して基板カバーを取り付ける際に、基板カバーを保持することで、取付作業を容易に行うことができる。そして、突部には、基板カバーと照合されることで、基板カバーの取付状態を識別するための識別部が形成されている。これにより、基板カバーをシャーシに対して取り付けた際の取付状態を識別でき、より確実に基板カバーを取り付けることができる。また、突部に識別部を形成することで、突部を挿通孔に挿通させる際に、識別部が目に付きやすい。このため、識別部と基板カバーとの照合を容易に行うことができる。
【０００９】
上記構成において、前記識別部は、前記突部が前記カバー側挿通孔に対して所定の位置まで挿通された状態では、前記突部のうち、前記基板カバーから前記シャーシとは反対側に突き出した部分に形成されているものとすることができる。
【００１０】
識別部は、基板カバーから、シャーシとは反対側に突き出した部分に形成されている。このため、突部がカバー側挿通孔に対して所定の位置まで挿通された状態では、識別部は、シャーシとは反対側から視認可能となっている。言い換えると、識別部をシャーシとは反対側からは視認できない場合（識別部が基板カバーに対して、シャーシ側に配されている場合）では、突部がカバー側挿通孔に対して所定の位置まで挿通されていないこととなる。以上のことから、作業者が識別部を確認することで、カバー側挿通孔に対して突部が所定の位置まで挿通されていること、つまり、基板カバーが挿通方向において所定の位置に取り付けられていること（基板カバーの取付状態）をより確実に識別することができる。
【００１１】
また、前記基板カバーには、前記識別部に対応付けられたカバー側識別部が形成されているものとすることができる。
【００１２】
照明装置の仕様の違いなどにより、数種類の基板カバーから、定められた一種類の基板カバーを選んでシャーシに取り付ける場合がある。このような場合、シャーシに対して正しくない種類の基板カバーを組み付けてしまう事態が懸念される。本発明では、基板カバーには、識別部に対応付けられたカバー側識別部が形成されている。これにより、例えば、作業者が、識別部（シャーシ側）とカバー側識別部（基板カバー側）の双方を参照することで、シャーシに対応した基板カバーが配されていること（基板カバーの取付状態）を識別できる。
【００１３】
言い換えると、識別部と対応しないカバー側識別部が形成されている基板カバーや、カバー側識別部が形成されていない基板カバーなどは、シャーシに対応しない基板カバーであることを容易に識別でき、誤組み付けを抑制できる。なお、ここでいう識別部とカバー側識別部とが「対応付けられている」とは、所定の規則に基づいて、識別部とカバー側識別部とが定められていることをいう。
【００１４】
また、前記識別部及び前記カバー側識別部は、それぞれ図形であって、互いに相似形状をなすものとすることができる。
【００１５】
識別部が、前記カバー側識別部と相似形状をなす構成とすれば、識別部と、カバー側識別部との対応関係を、比較的容易に照合することができる。なお、ここでいう「相似」とは、識別部とカバー側識別部とが同一の形状（合同）である場合も含まれる。
【００１６】
また、前記識別部は、前記突部における突出端面に形成されているものとすることができる。このように識別部を突出端面に配することで、視認しやすく、基板カバーとの照合を容易に行うことができる。
【００１７】
次に、上記課題を解決するために、上記照明装置と、前記照明装置からの光を利用して表示を行う表示パネルと、を備えることを特徴とする。
【００１８】
また、前記表示パネルとしては液晶パネルを例示することができる。このような表示装置は液晶表示装置として、種々の用途、例えばテレビやパソコンのディスプレイ等に適用でき、特に大型画面用として好適である。
【００１９】
次に、上記課題を解決するために、本発明のテレビ受信装置は、上記表示装置を備えることを特徴とする。
【発明の効果】
【００２０】
本発明によれば、基板カバーの取付作業を容易に行うことができる照明装置を提供できる。また、このような照明装置を備えた表示装置、及びテレビ受信装置を提供することが可能となる。
【図面の簡単な説明】
【００２１】
【図１】本発明の実施形態１に係るテレビ受信装置の概略構成を示す分解斜視図。
【図２】図１のテレビ受信装置が備える液晶表示装置の概略構成を示す分解斜視図。
【図３】液晶表示装置の長辺方向に沿った断面構成を示す断面図。
【図４】図２の液晶表示装置が備えるバックライト装置の裏面を示す平面図。
【図５】図４において基板カバーを取り付けた状態を示す拡大図。
【図６】基板カバーの取付構造を示す断面図（図５のＡ−Ａ線で切断した図）。
【図７】基板カバーの取付過程を示す断面図。
【図８】本発明の実施形態２に係る基板カバーを示す平面図。
【図９】本発明の実施形態３に係る基板カバーを示す平面図。
【発明を実施するための形態】
【００２２】
＜実施形態１＞
本発明の実施形態１を図１ないし図７によって説明する。まず、液晶表示装置１０を備えたテレビ受信装置ＴＶの構成について説明する。図１は本実施形態のテレビ受信装置の概略構成を示す分解斜視図、図２は図１のテレビ受信装置が備える液晶表示装置の概略構成を示す分解斜視図、図３は図２の液晶表示装置の長辺方向に沿った断面構成を示す断面図である。なお、液晶表示装置１０（及びシャーシ１４）の長辺方向をＸ軸方向とし、短辺方向をＹ軸方向としている。また、図３における上下方向をＺ軸方向（表裏方向）とし、図３における上方向を表側、下方向を裏側としている。
【００２３】
本実施形態に係るテレビ受信装置ＴＶは、図１に示すように、液晶表示装置１０と、当該液晶表示装置１０を挟むようにして収容する表裏両キャビネットＣａ，Ｃｂと、電源基板Ｐと、チューナーＴと、スタンドＳとを備えて構成される。液晶表示装置１０（表示装置）は、全体として横長の方形を成し、縦置き状態（短辺方向が鉛直方向に沿って配された状態）で収容されている。この液晶表示装置１０は、図２に示すように、液晶パネル１１（表示パネル）と、外部光源であるバックライト装置１２（照明装置）とを備え、これらが枠状のベゼル１３などにより一体的に保持されるようになっている。
【００２４】
次に、液晶表示装置１０を構成する液晶パネル１１及びバックライト装置１２について説明する。液晶パネル１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが取り付けられている（図３参照）。
【００２５】
バックライト装置１２は、図２に示すように、光出射面側（液晶パネル１１側）に開口部１４ｂを有する略箱型をなすシャーシ１４と、シャーシ１４の開口部１４ｂを覆うようにして取り付けられる拡散板１５ａと、拡散板１５ａと液晶パネル１１との間に配される複数の光学シート１５ｂと、シャーシ１４の長辺に沿って配され拡散板１５ａの長辺縁部をシャーシ１４との間で挟んで保持するフレーム１６とを備える。
【００２６】
さらに、シャーシ１４内には、冷陰極管１７（光源）と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とが収容されている。なお、当該バックライト装置１２においては、冷陰極管１７よりも拡散板１５ａ側が光出射側となっている。
【００２７】
シャーシ１４は、金属製の板状部材が板金成形されたものとされ、矩形平板状の底板１４ａと、その各辺から立ち上がり略Ｕ字状に折り返された外縁部２１（短辺方向の短辺外縁部２１ａ及び長辺方向の長辺外縁部２１ｂ）とからなる略箱型をなしている。シャーシ１４の底板１４ａにおいて、その長辺方向の両端部には、中継コネクタ１９を取り付けるための取付孔２２が複数貫通形成されている。さらに、シャーシ１４の長辺外縁部２１ｂの上面には、固定孔（図示せず）が貫通形成されており、例えばネジ等によりベゼル１３、フレーム１６、及びシャーシ１４等を一体化することが可能とされている。なお、シャーシ１４の材質は金属に限定されず適宜変更可能である。
【００２８】
図２または図８に示すように、シャーシ１４の底板１４ａの内面側（冷陰極管１７と対向する面側）には光反射シート２３が配設されている。光反射シート２３は、合成樹脂製とされ、その表面が反射性に優れた白色とされており、シャーシ１４の底板１４ａの内面に沿ってそのほぼ全域を覆うように敷かれている（図３では光反射シートは不図示）。この光反射シート２３により、冷陰極管１７から出射された光を拡散板１５ａ側に反射させることが可能となっている。
【００２９】
一方、シャーシ１４の開口部１４ｂ側には拡散板１５ａ及び光学シート１５ｂが配設されている。拡散板１５ａは、合成樹脂製の板状部材に光散乱粒子が分散配合されてなり、線状光源たる冷陰極管１７から出射される線状の光を拡散する機能を有する。拡散板１５ａの短辺縁部は上記したようにホルダ２０の第１面２０ａ上に載置されており、上下方向の拘束力を受けないものとされている。一方、拡散板１５ａの長辺縁部は、シャーシ１４とフレーム１６とに挟まれることで固定されている。
【００３０】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能などを有する。当該光学シート１５ｂの上面側には液晶パネル１１が設置され、当該光学シート１５ｂは拡散板１５ａと液晶パネル１１とにより挟持されている。
【００３１】
冷陰極管１７は、細長い管状をなしており、その長さ方向（軸方向）をシャーシ１４の長辺方向と一致させた状態で、かつ多数本（本実施形態では２０本）が互いに平行に並んだ状態でシャーシ１４内に収容されている（図２参照）。これら冷陰極管１７の各端部には駆動電力を受容する端子（図示せず）が備えられ、当該端部が中継コネクタ１９に嵌め込まれ、これら中継コネクタ１９を被覆するようにホルダ２０が取り付けられている。
【００３２】
冷陰極管１７の端部を覆うホルダ２０は、白色を呈する合成樹脂製とされ、シャーシ１４の短辺方向に沿って延びる細長い略箱型をなしている。当該ホルダ２０は、シャーシ１４の短辺外縁部２１ａと一部重畳した状態で配されており、短辺外縁部２１ａとともに当該バックライト装置１２の側壁を構成している。図３に示すように、ホルダ２０のうちシャーシ１４の短辺外縁部２１ａと対向する面からは挿入ピン２４が突出しており、当該挿入ピン２４がシャーシ１４の短辺外縁部２１ａの上面に形成された挿入孔２５に挿入されることで、当該ホルダ２０はシャーシ１４に取り付けられるものとされている。
【００３３】
ホルダ２０の階段状面は、図３に示すように、シャーシ１４の底板１４ａと平行な３面からなり、最も低い位置にある第１面２０ａには拡散板１５ａの短辺縁部が載置されている。さらに、第１面２０ａからは、シャーシ１４の底板１４ａに向けて傾斜する傾斜カバー２６が延出されている。ホルダ２０の階段状面の第２面２０ｂには、液晶パネル１１の短辺縁部が載置されている。ホルダ２０の階段状面のうち最も高い位置にある第３面２０ｃは、シャーシ１４の短辺外縁部２１ａと重畳する位置に配され、ベゼル１３と接触するものとされている。
【００３４】
図２及び図４に示すように、シャーシ１４の底板１４ａの外面側（冷陰極管１７とは反対側、裏面側）には、インバータ基板３０及びコントロール基板４０が取り付けられている。なお、上述した電源基板Ｐ（図１参照、図４では図示せず）は、インバータ基板３０やコントロール基板４０などと電気的に接続され、これらに電力を供給する電力供給源とされている。
【００３５】
インバータ基板３０は、シャーシ１４の長辺方向の両端部にそれぞれ設けられ、シャーシ１４の短辺方向に沿った長い方形状をなしている。各インバータ基板３０は、コネクタ２７及びハーネス２８を介して冷陰極管１７と電気的に接続されている。また、インバータ基板３０は、電源基板Ｐから入力される入力電圧をトランスなどにより構成されるインバータ回路によって昇圧し、入力電圧よりも高い出力電圧を冷陰極管１７へ出力するなどして冷陰極管１７の点灯（又は消灯）を制御する機能を有する。
【００３６】
コントロール基板４０（回路基板）は、図４に示すように、方形状をなしており、シャーシ１４の長辺方向における中央部、かつシャーシ１４の短辺方向において一方に偏った位置（図４の上側）に配されている。コントロール基板４０は、合成樹脂製（例えば紙フェノール製またはガラスエポキシ樹脂製など）の基板上に複数の回路部品４１が実装されてなり、チューナーＴからのテレビ信号などの各種入力信号を液晶駆動用の信号に変換し、その変換した液晶駆動用の信号を液晶パネル１１に供給する機能を有する。
【００３７】
シャーシ１４の底板１４ａには、図２及び図５に示すように、コントロール基板４０を覆う形で基板カバー６０が取り付けられている。なお、図４は、基板カバー６０を取り外した状態のシャーシ１４を図示している。このような基板カバー６０は、コントロール基板４０の保護を図るものである。また、基板カバー６０は、コントロール基板４０に手などが触れる事態を防止する機能を担っており、コントロール基板４０駆動時などにコントロール基板４０が高温となった際の安全性を高くしている。
【００３８】
基板カバー６０は、図５及び図１０に示すように、平面視方形状をなす板状の部材であって、シャーシ１４側に向かって開口された断面視略Ｕ字型をなす中央部６１と、中央部６１のシャーシ１４の長辺方向における両端（図５の左右両端）から底板１４ａに沿ってそれぞれ延びる端部６２と、を備えている。基板カバー６０は、その両端部６２が、コントロール基板４０における図５の左右両側の周縁部とそれぞれ重畳する形でシャーシ１４に取り付けられる。
【００３９】
次に、シャーシ１４に対するコントロール基板４０及び基板カバー６０の取付構造について説明する。シャーシ１４の底板１４ａにおけるコントロール基板４０の取付箇所には、図４に示すように、取付台座部５０が形成されている。取付台座部５０は、底板１４ａの一部をシャーシ１４外面側に突き出すことで形成されており、複数個所（本実施形態では、コントロール基板４０の４隅に対応する４か所）に設けられている。コントロール基板４０及び基板カバー６０は、各取付台座部５０に跨る形で配されている。また、コントロール基板４０は、各取付台座部５０に対して、ビスＢ１によって、それぞれ取り付けられている。
【００４０】
図５に示す上側の取付台座部５０（符号５０Ａで示す）は、シャーシ１４の短辺方向（Ｙ軸方向）に沿って長い形状をなし、長辺方向の両端が、図５に示す平面視において、それぞれ曲線状をなしている。一方、図５に示す下側の取付台座部５０（符号５０Ｂで示す）は平面視略円形状をなしている。
【００４１】
図６に示すように、各取付台座部５０には、ビスＢ１が挿通可能な円形状の取付孔５１（破線で図示）がそれぞれ形成されている。なお、取付孔５１の内周面にはネジが切ってあり、ビスＢ１の先端部が螺合可能となっている。そして、上側の取付台座部５０Ａには、その一部をシャーシ１４外面側に突き出すことで突部５２が形成されている。この突部５２は、隣接する取付孔５１（又はビスＢ１）とシャーシ１４の長辺方向において同じ位置に配されている。
【００４２】
図６に示すように、突部５２は、円柱状をなしており、その突き出し方向が、シャーシ１４の底板１４ａの延設方向（Ｘ軸及びＹ軸方向、図６では左右方向）と直交する方向（Ｚ軸方向）に一致する形で延びている。突部５２は、コントロール基板４０に形成された基板側挿通孔４３及び基板カバー６０の端部６２に形成されたカバー側挿通孔６３の双方に挿通されている。
【００４３】
突部５２を基板側挿通孔４３及びカバー側挿通孔６３の双方に挿通させることで、基板カバー６０をビスＢ１で取り付ける際に、基板カバー６０を保持することができる。なお、突部５２は、例えば、取付台座部５０Ａの一部を基板カバー６０側に打ち出すことで形成される。また、突部５２は、取付台座部５０Ａと別部材であってもよく、例えば溶接などで、突部５２を取付台座部５０Ａに接合する構成としてもよい。
【００４４】
突部５２は、図６に示すように、取付台座部５０Ａからの突出長さＬ１が、基板カバー６０の板厚ｔ１とコントロール基板４０の板厚ｔ２とを合わせた長さ以上となる形で形成されている。これにより、図８に示すように、コントロール基板４０及び基板カバー６０をシャーシ１４に取り付けた状態において、突部５２の先端が基板カバー６０に対して、シャーシ１４とは反対側（図６の上側）に突き出す構成となっている。
【００４５】
図６に示すように、コントロール基板４０には、ビスＢ１を挿通可能な円形状のビス挿通孔４５（破線で図示）が形成されている。そして、基板カバー６０の端部６２においてビス挿通孔４５と重畳する箇所には、円形状のビス挿通孔６５（破線で図示）が形成されている。これにより、ビス挿通孔４５，６５の双方にビスＢ１をシャーシ１４外側から挿通させた後に、取付台座部５０の取付孔５１（破線で図示）にビスＢ１の先端部を螺合させることで、シャーシ１４に対するコントロール基板４０及び基板カバー６０の取付が可能な構成となっている。
【００４６】
また、上述したように取付台座部５０は、底板１４ａの一部をシャーシ１４外面側に突き出すことで形成されているため、図６に示すように、ビスＢ１を取付孔５１に螺合させた際に、ビスＢ１の先端が底板１４ａに配設された光反射シート２３と干渉する事態を抑制可能となっている。
【００４７】
そして、突部５２には、基板カバー６０と照合されることで、基板カバー６０の取付状態を識別するための識別部が形成されている。本実施形態においては、２種類の識別部を備えており、それぞれ、突部５２の突出端面５２Ａに形成された第１識別部７０と、突部５２の側面５２Ｂ（外周面）に形成された第２識別部７１とされる。なお、第１識別部７０は、基板カバー６０の取付に係る両突部５２のうち、一方の突部５２だけに形成されており、第２識別部７１は、両突部５２にそれぞれ形成されている。なお、第１識別部７０及び第２識別部７１のうちいずれか一方のみを備えていてもよい。
【００４８】
一方、基板カバー６０における中央部６１において、第１識別部７０に隣接する箇所には、カバー側識別部６６が形成されている。第１識別部７０、第２識別部７１、カバー側識別部６６は、例えば、塗料を突部５２に印刷することで形成される。
【００４９】
第１識別部７０及びカバー側識別部６６は、図５に示すように、それぞれ平面視方形状をなしている。つまり、第１識別部７０及びカバー側識別部６６は互いに相似形状をなすという対応関係によって、対応付けられていると言える。
【００５０】
第２識別部７１は、図６に示すように、帯状をなし、突部５２の全周に渡って延びている。なお、第２識別部は、突部５２の周方向のうち一部のみに形成されていてもよい。上述したように、突部５２がカバー側挿通孔６３に対して所定の位置まで挿通された状態（図６に示す状態）では、突部５２の先端は基板カバー６０に対して、シャーシ１４とは反対側（図６の上側）に突き出す構成となっており、その突き出した部分に、第２識別部７１が形成されている。
【００５１】
これにより、突部５２がカバー側挿通孔６３に対して所定の位置まで挿通された状態、つまり、基板カバー６０が所定の取付位置に配された状態では、第２識別部７１は、基板カバー６０の端部６２よりもシャーシ１４の外側（図６の上側）に配される。つまり、端部６２に対してシャーシ１４とは反対側から、第２識別部７１が視認可能となっている。
【００５２】
第２識別部７１の形成箇所について、さらに詳しく説明すると、第２識別部７１は、取付台座部５０ＡからＺ軸方向において、長さＬ２だけ離れた箇所に配されている。この長さＬ２は、基板カバー６０の板厚ｔ１とコントロール基板４０の板厚ｔ２とを合わせた長さとほぼ同じで設定されている。これにより、第２識別部７１は、基板カバー６０の端部６２におけるシャーシ１４とは反対側の面と、Ｚ軸方向において、ほぼ同じ位置に配される。
【００５３】
また、本実施形態においては、シャーシ１４の底板１４ａにおいて、インバータ基板３０の長辺方向両端に対応する箇所に取付台座部５０Ａ、取付台座部５０Ｂがそれぞれ形成されており、インバータ基板３０及び基板カバー３１を突部５２及びビスＢ１を介して取り付け可能な構成となっている。インバータ基板３０及び基板カバー３１を取付台座部５０に取り付けるための取付構造は、コントロール基板４０及び基板カバー６０を取付台座部５０に取り付けるための取付構造とほぼ同じであるため、詳しい説明は省略する。
【００５４】
次に、本実施形態のバックライト装置１２において、シャーシ１４に対してコントロール基板４０及び基板カバー６０を取り付ける手順について説明する。本実施形態においては、シャーシ１４を保持具（図示せず）などで縦置き状態、つまり、シャーシ１４の底板１４ａの延設面が鉛直方向に沿った状態（図４の状態）とし、その状態でコントロール基板４０及び基板カバー６０の取り付ける場合を例示する。また、本実施形態においては、シャーシ１４におけるコントロール基板４０が配される側（図４の上側）が鉛直方向上側となる形でバックライト装置１２が保持されている。
【００５５】
まず、取付を行う作業者は、図７に示すように、各取付台座部５０の各突部５２がコントロール基板４０の各基板側挿通孔４３に挿通されるようにコントロール基板４０を配する。これにより、コントロール基板４０がシャーシ１４に対して保持（仮保持）される。
【００５６】
続いて、コントロール基板４０をシャーシ１４外側から覆う形で基板カバー６０を配する。具体的には、各突部５２が基板カバー６０の各カバー側挿通孔６３に挿通されるように基板カバー６０を配する。これにより、基板カバー６０がシャーシ１４に対して保持（仮保持）される（図６の状態）。また、第２識別部７１は、基板カバー６０の端部６２よりもシャーシ１４の外側（裏側）に配された状態となり、シャーシ１４の外側から視認可能となる。なお、この状態では、基板カバー６０の各端部６２とコントロール基板４０の上下両側の周端部とが、それぞれ平面視において重畳する形で配される。
【００５７】
その後、コントロール基板４０のビス挿通孔４５及び基板カバー６０のビス挿通孔６５の双方にビスＢ１をシャーシ１４外側から挿通させ、取付台座部５０の取付孔５１にビスＢ１の先端部を螺合させる。これにより、シャーシ１４に対するコントロール基板４０及び基板カバー６０の取付が完了する。
【００５８】
以上説明したように、本実施形態のバックライト装置１２は、冷陰極管１７と、冷陰極管１７が収容されるシャーシ１４と、シャーシ１４に取り付けられるコントロール基板４０と、シャーシ１４に取り付けられ、コントロール基板４０を覆う形で配される基板カバー６０と、を備え、シャーシ１４は、基板カバー６０に向けて突出される突部５２を備え、基板カバー６０には、突部５２が挿通されるカバー側挿通孔６３が形成されており、突部５２には、基板カバー６０と照合されることで、基板カバー６０の取付状態を識別するための第１識別部７０及び第２識別部７１が形成されている。
【００５９】
本実施形態においては、突部５２をカバー側挿通孔６３に挿通させることにより、基板カバー６０をシャーシ１４に対して保持させることができる。これにより、シャーシ１４に対して基板カバー６０を取り付ける際に、基板カバー６０を保持することで、取付作業を容易に行うことができる。そして、突部５２には、基板カバー６０と照合されることで、基板カバー６０の取付状態を識別するための第１識別部７０及び第２識別部７１が形成されている。これにより、基板カバー６０をシャーシ１４に対して、より確実に取り付けることができる。
【００６０】
また、突部５２に第１識別部７０及び第２識別部７１を形成することで、突部５２をカバー側挿通孔６３に挿通させる際に、第１識別部７０及び第２識別部７１が目に付きやすい。このため、後述する第１識別部７０とカバー側識別部６６との照合、及び第２識別部７１と基板カバー６０との照合を容易に行うことができる。
【００６１】
上記構成において、第２識別部７１は、突部５２がカバー側挿通孔６３に対して所定の位置まで挿通された状態では、突部５２のうち、基板カバー６０（端部６２）からシャーシ１４とは反対側に突き出した部分に形成されている。このため、突部５２がカバー側挿通孔６３に対して所定の位置まで挿通された状態では、第２識別部７１は、シャーシ１４とは反対側から視認可能となっている。
【００６２】
言い換えると、第２識別部７１をシャーシ１４とは反対側からは視認できない場合（第２識別部７１が基板カバー６０に対して、シャーシ１４側に配されている場合）では、突部５２がカバー側挿通孔６３に対して所定の位置まで挿通されていないこととなる。以上のことから、作業者が、基板カバー６０に対する第２識別部７１の位置を確認する（基板カバー６０の端部６２と第２識別部７１とを照合する）ことで、カバー側挿通孔６３に対して突部５２が所定の位置まで挿通されていることをより確実に識別することができる。つまり、基板カバー６０が挿通方向において所定の位置に取り付けられていること（基板カバーの取付状態）をより確実に識別することができる。
【００６３】
例えば、図７に示すように、基板カバー６０を取り付ける際に、基板カバー６０とコントロール基板４０の間に導線Ｗなどの部品が挟まった場合などには、基板カバー６０（端部６２）が第２識別部７１よりもシャーシ１４側に配される。このため、第２識別部７１はシャーシ１４外側から視認できない。これにより、作業者は、基板カバー６０が正しく取り付けられていない事態をより確実に発見することができる。
【００６４】
また、基板カバー６０には、第１識別部７０に対応付けられたカバー側識別部６６が形成されている。
【００６５】
バックライト装置１２の仕様の違いなどにより、数種類の基板カバーから、定められた一種類の基板カバー６０を選んでシャーシ１４に取り付ける場合がある。このような場合、シャーシ１４に対して正しくない種類の基板カバーを組み付けてしまう事態が懸念される。本実施形態では、基板カバー６０には、第１識別部７０に対応付けられたカバー側識別部６６が形成されている。これにより、例えば、作業者が、第１識別部７０（シャーシ側）とカバー側識別部６６（基板カバー側）の双方を参照することで、シャーシ１４に対応した正しい種類の基板カバー６０が配されていること（つまり、基板カバー６０の取付状態）を識別できる。
【００６６】
言い換えると、第１識別部７０と対応しないカバー側識別部６６が形成されている基板カバーや、カバー側識別部６６が配されていない基板カバーなどは、シャーシ１４に対応しない基板カバーであることを容易に識別でき、基板カバーの誤組み付けを抑制できる。なお、ここでいう第１識別部７０とカバー側識別部６６とが「対応付けられている」とは、所定の規則に基づいて、第１識別部７０とカバー側識別部６６とが定められていることをいう。要するに、正しい組み合わせのシャーシ１４及び基板カバー６０の各々に、対応する第１識別部７０及びカバー側識別部６６をそれぞれ形成しておけばよい。
【００６７】
また、第１識別部７０及びカバー側識別部６６は、それぞれ図形であって、互いに相似形状をなすものとすることができる。
【００６８】
第１識別部７０が、カバー側識別部６６と相似形状をなす構成とすれば、第１識別部７０と、カバー側識別部６６との対応関係を、比較的容易に照合することができる。なお、ここでいう「相似」とは、第１識別部７０と、カバー側識別部６６とが同一の形状（合同）である場合も含まれる。
【００６９】
また、突部５２は、略柱状をなし、第１識別部７０は、突部５２における突出端面５２Ａに配されている。このように、第１識別部７０を突出端面５２Ａに配することで、視認しやすく、カバー側識別部６６との照合を容易に行うことができる。
【００７０】
＜実施形態２＞
次に、本発明の実施形態２を図８によって説明する。本実施形態のバックライト装置１１２は、第１識別部及びカバー側識別部の構成を上記実施形態とは異なる構成としたものである。なお、上記実施形態と同一部分には、同一符号を付して重複する説明を省略する。
【００７１】
本実施形態においては、突部５２の突出端面５２Ａ及び基板カバー６０にシール１８０が貼り付けられており、各シール１８０に印刷された共通の文字（図８におけるＳＡ１）を、それぞれ第１識別部１７０及びカバー側識別部１６６としている。このように突部５２及び基板カバー６０に共通の番号を表示することによっても、上記実施形態の第１識別部７０及びカバー側識別部６６と同様に基板カバー６０の誤組み付けを抑制することができる。なお、各シール１８０に印刷された共通の文字は図８に示すものに限定されず適宜変更可能である。
【００７２】
＜実施形態３＞
次に、本発明の実施形態３を図９によって説明する。本実施形態のバックライト装置２１２は、第１識別部及びカバー側識別部を上記実施形態とは異なる箇所に形成したものである。なお、上記実施形態と同一部分には、同一符号を付して重複する説明を省略する。
【００７３】
本実施形態におけるカバー側識別部２６６は、基板カバー６０の端部６２に形成されている。そして、第１識別部２７０は、シャーシ１４の底板１４ａにおいて、カバー側識別部２６６に隣接する箇所、より具体的には、カバー側識別部２６６とＹ軸方向において一致する箇所に形成されている。
【００７４】
第１識別部２７０及びカバー側識別部２６６は、例えば、塗料を印刷することで形成された相似形状の図形であって、Ｘ軸方向に延びる方形状をなしている。第１識別部２７０及びカバー側識別部２６６を形成したことによる効果については、上記各実施形態と同じであるため、説明を省略する。
【００７５】
＜他の実施形態＞
本発明は上記記述及び図面によって説明した実施形態に限定されるものではなく、例えば次のような実施形態も本発明の技術的範囲に含まれる。
【００７６】
（１）第１識別部７０，１７０，２７０、第２識別部７１、カバー側識別部６６，１６６，２６６の形成手段としては、印刷以外にも、レーザーマーカによる刻印や、形成箇所の一部を凹ませることで刻印する手段などを例示することができる。また、第１識別部７０，１７０の形成箇所は、突部５２の突出端面５２Ａに限定されず、突部５２に形成されていればよい。また、カバー側識別部６６，１６６，２６６は基板カバー６０に形成されていればよく、その形成箇所は適宜変更可能である。
【００７７】
（２）上記実施形態１において、第１識別部及びカバー側識別部を互いに相似形状をなす図形としたが、これに限定されない。第１識別部とカバー側識別部とは、所定の規則に基づいて対応付けられているものであればよい。要するに、第１識別部とカバー側識別部を照合することで、シャーシと基板カバーの組み合わせが所定の（正しい）組み合わせであることを識別可能なものであればよい。
【００７８】
（３）突部５２及びカバー側挿通孔６３の形状は、上記実施形態で例示した形状に限定されず、適宜変更可能である。カバー側挿通孔６３に突部５２を挿通させることで、基板カバー６０を保持可能な構成であればよい。
【００７９】
（４）上記各実施形態において、基板カバー６０のみを突部５２にて保持する構成としてもよい。
【００８０】
（５）上記実施形態では、回路基板として、コントロール基板４０を例示したが、これに限定されない。シャーシ１４に取り付けられる回路基板及び基板カバーであれば、本発明の構成（突部及び係止部にて固定する構成）を適用することが可能である。
【００８１】
（６）上記実施形態では、光源として冷陰極管１７を用いた場合を示したが、これに限定されない。光源として熱陰極管やＬＥＤなどを用いることも可能である。
【００８２】
（７）上記実施形態では、液晶パネル１１及びシャーシ１４がその短辺方向を鉛直方向と一致させた縦置き状態とされるものを例示したが、液晶パネル１１及びシャーシ１４がその長辺方向を鉛直方向と一致させた縦置き状態とされるものも本発明に含まれる。
【００８３】
（８）上記実施形態では、液晶表示装置１０のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【００８４】
（９）上記実施形態では、表示パネルとして液晶パネル１１を用いた液晶表示装置１０を例示したが、他の種類の表示パネルを用いた表示装置にも本発明は適用可能である。
【００８５】
（１０）上記実施形態では、チューナーを備えたテレビ受信装置ＴＶを例示したが、チューナーを備えない表示装置にも本発明は適用可能である。
【符号の説明】
【００８６】
１０…液晶表示装置（表示装置）、１１…液晶パネル（表示パネル）、１２，１１２，２１２…バックライト装置（照明装置）、１４…シャーシ、１７…冷陰極管（光源）、４０…コントロール基板（回路基板）、５２…突部、５２Ａ…突出端面、６０…基板カバー、６３…カバー側挿通孔、６６，１６６，２６６…カバー側識別部、７０，１７０，２７０…第１識別部（識別部）、７１…第２識別部（識別部）、ＴＶ…テレビ受信装置
【図１】
2012054100.tif 000003
【図２】
2012054100.tif 000004
【図３】
2012054100.tif 000005
【図４】
2012054100.tif 000006
【図５】
2012054100.tif 000007
【図６】
2012054100.tif 000008
【図７】
2012054100.tif 000009
【図８】
2012054100.tif 000010
【図９】
2012054100.tif 000011